(57)【要約】【課題】フラットディスプレイパネルの正面から漏れ出るノイズによる視聴者の不快感を軽減する。【解決手段】ＰＤＰ１の表示側表面に、光学フィルタ２を介して、表示側表面から前方側に漏れ出るＰＤＰ１の振動音等のノイズを、前面に形成された傾斜面や交互に配置された材質の密度が大きい部分と小さい部分とによって分散させるノイズ分散フィルム１１，５１が貼り付けられている。【選択図】図３
2008197490.tif 000002
【特許請求の範囲】
【請求項１】
フラットディスプレイパネルの表示側表面に、この表示側表面から前方側に漏れ出るフラットディスプレイパネルのノイズを分散させるノイズ分散フィルムが貼着されていることを特徴とするフラットディスプレイ装置。
【請求項２】
前記ノイズ分散フィルムが、その前面側に、フラットディスプレイパネルの表示側表面に対して所要の角度だけ傾斜することによってノイズを分散させる傾斜部を有している請求項１に記載のフラットディスプレイ装置。
【請求項３】
前記傾斜部が、ノイズ分散フィルムの前面の外縁部に形成されて、ノイズ分散フィルムの厚さが外側にゆくほど薄くなる向きに傾斜している請求項２に記載のフラットディスプレイ装置。
【請求項４】
前記傾斜部が、ノイズ分散フィルムの前面の外周に沿って形成されている請求項３に記載のフラットディスプレイ装置。
【請求項５】
前記ノイズ分散フィルムの前面の全面に傾斜部が形成されている請求項２に記載のフラットディスプレイ装置。
【請求項６】
前記傾斜部が、ノイズ分散フィルムの前面の上側部分と下側部分または左側部分と右側部分にそれぞれ形成されて、上側部分と下側部分または左側部分と右側部分の傾斜角度が互いに逆向きになっている請求項５に記載のフラットディスプレイ装置。
【請求項７】
前記傾斜部が、ノイズ分散フィルムの前面の上側部分および下側部分，左側部分，右側部分に区分されて形成され、上側部分と下側部分の傾斜角度が互いに逆向きになっており、左側部分と右側部分の傾斜角度が互いに逆向きになっている請求項５に記載のフラットディスプレイ装置。
【請求項８】
傾斜角度が互いに逆向きの対になった前記傾斜部が複数対、上下方向または左右方向に配列されている請求項５に記載のフラットディスプレイ装置。
【請求項９】
前記ノイズ分散フィルムが、交互に配置された材質の密度が大きい部分と小さい部分とによって構成されている請求項１に記載のフラットディスプレイ装置。
【請求項１０】
前記材質の密度が大きい部分と小さい部分がそれぞれ帯状に形成されて、上下方向または左右方向に交互に配列されている請求項９に記載のフラットディスプレイ装置。
【請求項１１】
前記材質の密度が大きい部分と小さい部分がモザイク状に配置されている請求項９に記載のフラットディスプレイ装置。
【請求項１２】
前記フラットディスプレイパネルとノイズ分散フィルムとの間に光学フィルタが介装されている請求項１に記載のフラットディスプレイ装置。
【発明の詳細な説明】
【技術分野】
【０００１】
この発明は、フラットディスプレイ装置の構成に関する。
【背景技術】
【０００２】
例えばプラズマディスプレイパネル（ＰＤＰ）のようなフラットディスプレイパネルを備えたディスプレイ装置には、ディスプレイパネルの表示側表面に、光学フィルタが貼り付けられているものがある（例えば、特許文献１参照）。
【０００３】
図１は、このような従来のフラットディスプレイ装置の構成を示しており、前面基板１Ａと背面基板１Ｂによって構成されるＰＤＰ１の表示側表面（前面基板１Ａの前面）に、直に光学フィルタ２が貼り付けられている。
【０００４】
ここで、ＰＤＰのようなフラットディスプレイ装置は、その駆動中にパネル内部において振動音等のノイズが発生する場合がある。
このようなパネル内部で発生するノイズが図１のような構成のフラットディスプレイ装置の表示面から外部に漏れる場合には、図２に示されるように、このノイズｎは、パネルのフラットな表示面（光学フィルタ２）を振動面として前方に伝わってゆくため、このパネルの表示面に対して垂直方向に強い指向性を有することになる。
【０００５】
このため、従来のフラットディスプレイ装置では、パネルの表示面から漏れてくるノイズｎのほとんどがこのパネルの正面に位置する視聴者に向かってしまうことになるため、視聴者が不快感を感じてしまう場合が生じる虞がある。
【０００６】
このようなパネル内部から発生するノイズの視聴者への影響を防止するために、従来、パネル内部において発生するノイズそのものを低減するような構成を備えた様々なフラットディスプレイ装置が提案されているが、何れも、ノイズの視聴者への影響を十分に排除することは出来ていない。
【０００７】
【特許文献１】特開２００４−２０６０７６号公報
【発明の開示】
【発明が解決しようとする課題】
【０００８】
この発明は、上記のような従来のフラットディスプレイ装置における問題点を解決することをその技術的課題の一つとしている。
【課題を解決するための手段】
【０００９】
この発明（請求項１に記載の発明）によるフラットディスプレイ装置は、上記目的を達成するために、フラットディスプレイパネルの表示側表面に、この表示側表面から前方側に漏れ出るフラットディスプレイパネルのノイズを分散させるノイズ分散フィルムが貼着されていることを特徴としている。
【発明を実施するための最良の形態】
【００１０】
この発明によるフラットディスプレイ装置は、フラットディスプレイパネルの表示側表面に、この表示側表面から前方側に漏れ出るフラットディスプレイパネルのノイズを分散させるノイズ分散フィルム、例えば、前面側にフラットディスプレイパネルの表示側表面に対して所要の角度だけ傾斜することによってノイズを分散させる傾斜部を有しているノイズ分散フィルムや、交互に配置された材質の密度の大きい部分と小さい部分とによって構成されているノイズ分散フィルムが貼り付けられているフラットディスプレイ装置を、その最良の実施形態としている。
【００１１】
この実施形態のフラットディスプレイ装置によれば、フラットディスプレイパネルの表示側表面に貼り付けられたノイズ分散フィルムによって、例えば、このノイズ分散フィルムが前面側に傾斜部を有している場合には、この傾斜部からフラットディスプレイパネルの前方側に漏れ出るノイズの指向方向がフラットディスプレイパネルの垂直方向に対して傾斜部の傾斜角度だけ外れて、全てのノイズがフラットディスプレイ装置の正面に位置する視聴者に向かうことがなくなることにより、また、ノイズ分散フィルムが交互に配置された材質の密度の大きい部分と小さい部分とによって構成されている場合には、この材質の密度が大きい部分と小さい部分から前方に漏れ出るノイズのそれぞれの位相すなわち音波の密度が互いにずれて、視聴者の方向に向かうノイズがぼけることによって視聴者がノイズを聞き取り難くなる。
【００１２】
これによって、上記フラットディスプレイ装置は、従来のフラットディスプレイ装置よりも、視聴者がフラットディスプレイパネルから発生するノイズによって受ける不快感を低減させることが出来るようになる。
【００１３】
上記実施形態のフラットディスプレイ装置において、ノイズ分散フィルムの傾斜部の形態としては、この傾斜部が、ノイズ分散フィルムの前面の外周に沿って形成されている形態や、ノイズ分散フィルムの前面の全面に、例えば、ノイズ分散フィルムの前面の上側部分と下側部分または左側部分と右側部分にそれぞれ形成されて、上側部分と下側部分または左側部分と右側部分の傾斜角度が互いに逆向きになっている形態、上側部分および下側部分，左側部分，右側部分に区分されて形成されて、上側部分と下側部分の傾斜角度が互いに逆向きになっており左側部分と右側部分の傾斜角度が互いに逆向きになっている形態、傾斜角度が互いに逆向きの対になった傾斜部が複数対、上下方向または左右方向に配列されている形態などが挙げられ、また、ノイズ分散フィルムの材質の密度の大きい部分と小さい部分の配列の形態としては、この材質の密度の大きい部分と小さい部分がそれぞれ帯状に形成されて上下方向または左右方向に交互に配列されている形態や、モザイク状に配置されている形態などが挙げられる。
【００１４】
上記のようなノイズ分散フィルムの形態において、傾斜部の配置や材質の密度の大きい部分と小さい部分との配列が細かくなるほどノイズの分散効果が大きくなり、視聴者が受ける不快感がされに低減される。
【００１５】
さらに、実施形態のフラットディスプレイ装置において、フラットディスプレイパネルとノイズ分散フィルムとの間に光学フィルタが介装されるようにすることが好ましく、この場合には、光学フィルタによる電磁波遮断効果や赤外線吸収効果，色調補正効果，外光反射防止効果等を合わせて有することが出来るようになる。
【実施例１】
【００１６】
図３および４は、この発明によるフラットディスプレイ装置の実施形態における第１実施例を示す側面図である。
【００１７】
なお、以下においては、この発明をＰＤＰに適用した例について説明を行うが、この発明は、パネル内部から振動音等のノイズが発生するようなフラットディスプレイパネルであれば、どのようなパネルでも適用が可能である。
【００１８】
図３および４において、フラットディスプレイ装置１０は、ＰＤＰ１が、図１の従来のＰＤＰと同様に、前面基板１Ａと背面基板１Ｂが互いに平行に重ね合わされて構成されており、このＰＤＰ１の前面基板１Ａの表示側表面上に、光学フィルタ２が貼り付けられている。
そして、この光学フィルタ２上に、ノイズ分散フィルタ１１が貼り付けられている。
【００１９】
このノイズ分散フィルタ１１は、その表示側表面の外周縁の一定幅部分に、内側から外側に向かってフィルタの厚さが薄くなるように、前面基板１Ａの表示面と平行な方向に対して所要の角度α１だけ傾斜した傾斜面１１ａが形成されている。
このノイズ分散フィルタ１１の傾斜面１１ａの傾斜角度α１は、ＰＤＰ１の表示面に形成される画質を劣化させることがないレベルの角度に設定されている。
【００２０】
このフラットディスプレイ装置１０は、図５に示されるように、ＰＤＰ１のパネル内部においてノイズが発生する場合に、ノイズの振動面となるノイズ分散フィルタ１１の表示側表面の外周縁部分に形成された傾斜面１１ａからパネルの前方側に漏れ出る振動音等のノイズｎの指向方向が、傾斜面１１ａの傾斜面に対して垂直方向、すなわち、ＰＤＰ１の垂直方向ｖに対して角度α１だけ上下方向または左右方向に傾斜した方向となる。
【００２１】
これによって、ＰＤＰ１のパネル内部で発生してパネルの表示面から漏れ出るノイズｎの指向方向が分散されて、このノイズｎの全てがフラットディスプレイ装置１０の正面に位置する視聴者に向かうことがなくなるので、従来のフラットディスプレイ装置よりも視聴者が受ける不快感を低減させることが出来るようになる。
【実施例２】
【００２２】
図６および７は、この発明によるフラットディスプレイ装置の実施形態における第２実施例を示す側面図である。
【００２３】
この実施例においても、この発明をＰＤＰに適用した例について説明を行うが、第１実施例の場合と同様、この発明は、パネル内部から振動音等のノイズが発生するようなフラットディスプレイパネルであれば、どのようなパネルでも適用が可能である。
【００２４】
図６および７において、フラットディスプレイ装置２０は、ＰＤＰ１が、第１実施例と同様に、前面基板１Ａと背面基板１Ｂが互いに平行に重ね合わされて構成されており、このＰＤＰ１の前面基板１Ａの表示側表面上に、光学フィルタ２が貼り付けられている。
そして、この光学フィルタ２上に、ノイズ分散フィルタ２１が貼り付けられている。
【００２５】
このノイズ分散フィルタ２１は、その表示側表面の水平な中央線を挟んで上側部分と下側部分が、それぞれ、上方または下方に行くほどフィルタの厚さが薄くなるように前面基板１Ａの表示面と平行な方向に対して所要の角度α２だけ傾斜した傾斜面２１ａになっている。
このノイズ分散フィルタ２１の傾斜面２１ａの傾斜角度α２は、ＰＤＰ１の表示面に形成される画質を劣化させることがないレベルの角度に設定される。
【００２６】
このフラットディスプレイ装置２０は、図８に示されるように、ＰＤＰ１のパネル内部において振動音等のノイズが発生する場合に、ノイズの振動面となるノイズ分散フィルタ２１の前面の上側部分と下側部分が傾斜面２１ａになっていることによって、この傾斜面２１ａからパネルの前方側に漏れ出るノイズｎの指向方向が、傾斜面２１ａに対して垂直方向、すなわち、ＰＤＰ１の垂直方向ｖに対して角度α２だけ上方向または下方向にそれぞれ傾斜した方向となる。
【００２７】
これによって、ＰＤＰ１のパネル内部で発生してパネルの表示面から漏れ出るノイズｎの指向方向が分散されて、このノイズｎの全てがフラットディスプレイ装置２０の正面に位置する視聴者に向かうことがなくなるので、従来のフラットディスプレイ装置よりも視聴者が受ける不快感を低減させることが出来るようになる。
【００２８】
また、この実施例におけるフラットディスプレイ装置は、ノイズ分散フィルタ２１の前面の全面が傾斜面となっているので、前述した第１実施例の場合に比べてノイズｎの分散率が高くなって、視聴者が受ける不快感をさらに低減することが出来るようになる。
【００２９】
なお、上記においては、ノイズ分散フィルタの表面の傾斜面が水平な中央線を挟んで上側部分と下側部分に形成されている例が示されているが、垂直な中央線を挟んで左側部分と右側部分に形成するようにしても良く、また、図９に示されるように、ノイズ分散フィルタ３１の前面が、二本の対角線に挟まれた四つの三角形の領域部分３１ａと３１ｂに区分され、上下の領域部分３１ａがそれぞれ上方または下方に行くほどフィルタの厚さが薄くなるように前面基板の表示面と平行な方向に対して所要の角度だけ傾斜し、左右の領域部分３１ｂがそれぞれ左方または右方に行くほどフィルタの厚さが薄くなるように前面基板の表示面と平行な方向に対して所要の角度だけ傾斜するようにしても良い。
これによって、ノイズの分散率が高くなって、視聴者が受ける不快感をさらに低減することが出来るようになる。
【実施例３】
【００３０】
図１０および１１は、この発明によるフラットディスプレイ装置の実施形態における第３実施例を示す側面図である。
【００３１】
この実施例においても、この発明をＰＤＰに適用した例について説明を行うが、第１実施例の場合と同様、この発明は、パネル内部から振動音等のノイズが発生するようなフラットディスプレイパネルであれば、どのようなパネルでも適用が可能である。
【００３２】
図１０および１１において、フラットディスプレイ装置３０は、ＰＤＰ１が、第１実施例と同様に、前面基板１Ａと背面基板１Ｂが互いに平行に重ね合わされて構成されており、このＰＤＰ１の前面基板１Ａの表示側表面上に、光学フィルタ２が貼り付けられている。
そして、この光学フィルタ２上に、ノイズ分散フィルタ４１が貼り付けられている。
【００３３】
前述した第２実施例のフラットディスプレイ装置がノイズ分散フィルタの前面の上側部分と下側部分に互いに逆方向の傾斜角度を有する傾斜面が一対形成されていたのに対し、この実施例のノイズ分散フィルタ４１には、その前面に、傾斜が交互に逆方向となる複数対（図示の例では４対）の傾斜面４１ａと４１ｂが形成されている。
【００３４】
すなわち、ノイズ分散フィルタ４１の厚さが上方側に行くほど薄くなるように傾斜している傾斜面４１ａと、傾斜面４１ａと同じ上下方向の幅を有し下方側に行くほど薄くなるように傾斜している傾斜面４１ｂが、ノイズ分散フィルタ４１の前面において上下方向に交互に配置されて左右方向に帯状に延びており、図１１から分かるように、ノイズ分散フィルタ４１の前面に、側面から見た状態で、前方方向に突出する三角形の山が上下方向に複数個（図示の例では４個）並んだ状態になっている。
【００３５】
このノイズ分散フィルタ４１の各傾斜面４１ａ，４１ｂの前面基板１Ａの表示面と平行な方向に対する所要の傾斜角度α３は、ＰＤＰ１の表示面に形成される画質を劣化させることがないレベルの角度に設定される。
【００３６】
このフラットディスプレイ装置３０は、図１２に示されるように、ＰＤＰ１のパネル内部においてノイズが発生する場合に、ノイズの振動面となるノイズ分散フィルタ４１の前面の互いに逆方向に傾斜する傾斜面４１ａと４１ｂが上下方向に交互に位置していることによって、このノイズ分散フィルタ４１の前面からパネルの前方側に漏れ出るノイズｎの指向方向が傾斜面４１ａと４１ｂに対して垂直方向、すなわち、ＰＤＰ１の垂直方向ｖに対して角度α３だけ上方向または下方向にそれぞれ傾斜した方向となる。
【００３７】
これによって、ＰＤＰ１のパネル内部で発生してパネルの表示面から漏れ出るノイズｎの指向方向が分散されて、このノイズｎの全てがフラットディスプレイ装置３０の正面に位置する視聴者に向かうことがなくなるので、従来のフラットディスプレイ装置よりも視聴者が受ける不快感を低減させることが出来るようになる。
【００３８】
また、この実施例におけるフラットディスプレイ装置は、ノイズ分散フィルタ２１の前面の全面が傾斜面となっているので、前述した第１実施例の場合に比べてノイズｎの分散率が高くなって、視聴者が受ける不快感をさらに低減することが出来るようになる。
【００３９】
なお、上記においては、各傾斜面がそれぞれ左右方向に帯状に延びる例が示されているが、各傾斜面がそれぞれ上下方向に帯状に延びるようにしても良く、また、ノイズ分散フィルタの表示側表面を碁盤目状に区分して、方形の各区分領域毎に、中心点を頂点として二本の対角線に挟まれた四つの三角形の傾斜面を形成するようにしても良い。
これによって、ノイズの分散率が高くなって、視聴者が受ける不快感をさらに低減することが出来るようになる。
【実施例４】
【００４０】
図１３および１４は、この発明によるフラットディスプレイ装置の実施形態における第４実施例を示す側面図である。
【００４１】
この実施例においても、この発明をＰＤＰに適用した例について説明を行うが、第１実施例の場合と同様、この発明は、パネル内部から振動音等のノイズが発生するようなフラットディスプレイパネルであれば、どのようなパネルでも適用が可能である。
【００４２】
図１３および１４において、フラットディスプレイ装置４０は、ＰＤＰ１が、第１実施例と同様に、前面基板１Ａと背面基板１Ｂが互いに平行に重ね合わされて構成されており、このＰＤＰ１の前面基板１Ａの表示側表面上に、光学フィルタ２が貼り付けられている。
そして、この光学フィルタ２上に、ノイズ分散フィルタ５１が貼り付けられている。
【００４３】
このノイズ分散フィルタ５１は、左右方向に帯状に延びてノイズ分散フィルタ５１を形成する材質の密度が大きい密部分５１ａと、左右方向に帯状に延びて密部分５１ａよりも材質の密度が小さい疎部分５１ｂとが、上下方向に交互に配置された構成になっている。
【００４４】
このフラットディスプレイ装置４０は、図１５に示されるように、ＰＤＰ１の内部で発生してノイズ分散フィルタ５１の密部分５１ａから前方に漏れ出るノイズｎ１と疎部分５１ｂから漏れ出るノイズｎ２のそれぞれの位相、すなわち、音波の密度が互いにずれて視聴者の方向に向かうノイズがぼけることによって、フィルタの全面が一様な密度の材質で形成されてノイズがほぼ位相のそろった状態で漏れ出てしまう従来のフラットディスプレイ装置に比べて、視聴者がノイズを聞き取り難くなる。
これによって、従来のフラットディスプレイ装置よりも視聴者が受ける不快感を低減させることが出来るようになる。
【００４５】
なお、上記においては、ノイズ分散フィルタの材質の密部分と疎部分がそれぞれ左右方向に帯状に延びて上下方向に交互に配置された態様の実施例が示されているが、ノイズ分散フィルタを材質の密部分と疎部分がそれぞれ上下方向に延びるように配置しても良い。
【００４６】
また、ノイズ分散フィルタを材質の密部分と疎部分がそれぞれ碁盤目状に互い違いに配置された態様で構成するようにしても良い。
これによって、ノイズ分散フィルタを通過して前方側に漏れ出るノイズの位相のずれがフィルタの全面に亘って分散されて、視聴者が受ける不快感をさらに低減することが出来るようになる。
【００４７】
上記各実施例のフラットディスプレイ装置は、フラットディスプレイパネルの表示側表面に、この表示側表面から前方側に漏れ出るフラットディスプレイパネルのノイズを分散させるノイズ分散フィルム、例えば、前面側にフラットディスプレイパネルの表示側表面に対して所要の角度だけ傾斜することによってノイズを分散させる傾斜部を有しているノイズ分散フィルムや、交互に配置された材質の密度が大きい部分と小さい部分とによって構成されているノイズ分散フィルムが貼り付けられている実施形態のフラットディスプレイ装置を、その上位概念の実施形態としている。
【００４８】
この上位概念を構成する実施形態のフラットディスプレイ装置によれば、フラットディスプレイパネルの表示側表面に貼り付けられたノイズ分散フィルムによって、例えば、このノイズ分散フィルムが前面側に傾斜部を有している場合には、この傾斜部からフラットディスプレイパネルの前方側に漏れ出るノイズの指向方向がフラットディスプレイパネルの垂直方向に対して傾斜部の傾斜角度だけ外れることによって、全てのノイズがフラットディスプレイ装置の正面に位置する視聴者に向かうことがなくなることにより、また、ノイズ分散フィルムが交互に配置された材質の密度が大きい部分と小さい部分とによって構成されている場合には、この材質の密度が大きい部分と小さい部分から前方に漏れ出るノイズのそれぞれの位相すなわち音波の密度が互いにずれて視聴者の方向に向かうノイズがぼけることにより、視聴者がノイズを聞き取り難くなって、従来のフラットディスプレイ装置よりも視聴者がフラットディスプレイパネルから発生するノイズによって受ける不快感を低減させることが出来るようになる。
【図面の簡単な説明】
【００４９】
【図１】従来のフラットディスプレイ装置を示す側面図である。
【図２】従来のフラットディスプレイ装置から漏れ出るノイズの状態を示す説明図である。
【図３】この発明によるフラットディスプレイ装置の第１実施例を示す側面図である。
【図４】同実施例のフラットディスプレイ装置の正面図である。
【図５】同実施例のフラットディスプレイ装置から漏れ出るノイズの状態を示す説明図である。
【図６】この発明によるフラットディスプレイ装置の第２実施例を示す側面図である。
【図７】同実施例のフラットディスプレイ装置の正面図である。
【図８】同実施例のフラットディスプレイ装置から漏れ出るノイズの状態を示す説明図である。
【図９】同実施例のフラットディスプレイ装置の変形例を示す正面図である。
【図１０】この発明によるフラットディスプレイ装置の第３実施例を示す側面図である。
【図１１】同実施例のフラットディスプレイ装置の正面図である。
【図１２】同実施例のフラットディスプレイ装置から漏れ出るノイズの状態を示す説明図である。
【図１３】この発明によるフラットディスプレイ装置の第４実施例を示す側面図である。
【図１４】同実施例のフラットディスプレイ装置の正面図である。
【図１５】同実施例のフラットディスプレイ装置から漏れ出るノイズの状態を示す説明図である。
【符号の説明】
【００５０】
１              …ＰＤＰ（フラットディスプレイパネル）
１Ａ            …前面基板
１Ｂ            …背面基板
２              …光学フィルタ
１０，２０，３０，４０          …フラットディスプレイ装置
１１，２１，３１，４１，５１    …ノイズ分散フィルタ
１１ａ，２１ａ，４１ａ，４１ｂ  …傾斜部（傾斜面）
５１ａ          …密部分（密度が大きい部分）
５１ｂ          …疎部分（密度が小さい部分）
ｎ，ｎ１，ｎ２  …ノイズ
【図１】
2008197490.tif 000003
【図２】
2008197490.tif 000004
【図３】
2008197490.tif 000005
【図４】
2008197490.tif 000006
【図５】
2008197490.tif 000007
【図６】
2008197490.tif 000008
【図７】
2008197490.tif 000009
【図８】
2008197490.tif 000010
【図９】
2008197490.tif 000011
【図１０】
2008197490.tif 000012
【図１１】
2008197490.tif 000013
【図１２】
2008197490.tif 000014
【図１３】
2008197490.tif 000015
【図１４】
2008197490.tif 000016
【図１５】
2008197490.tif 000017